(57)【特許請求の範囲】
【請求項１】
水槽内の水の表層に浮遊する浮遊物を除去する浮遊物除去具であって、前記水槽の表層の水を取水する取水口が設けられた筒体内に、前記取水口で取水した水４を濾過する濾過部と、この濾過部で濾過された水を前記水槽内へ排水するポンプ部とが設けられた構成であり、前記筒体の周壁にはスリットが軸方向に設けられ、このスリットは前記周壁内にスライド移動自在に添設された添設体のスライド移動により開閉するものであり、この開口したスリットが前記取水口であり、前記添設体は前記筒体内に嵌入され戻り付勢する断面視Ｃ状の環体であり、この添設体は前記戻り付勢により前記筒体の周壁に密着されており、前記取水口の取水位置は前記水槽の水の上面の位置に応じて可変可能に構成されていることを特徴とする浮遊物除去具。
【請求項２】
請求項１記載の浮遊物除去具において、前記添設体を前記筒体の周壁に沿って軸方向にスライド移動させることで、前記取水口の長さが可変するように構成されていることを特徴とする浮遊物除去具。
【請求項３】
請求項１，２いずれか１項に記載の浮遊物除去具において、前記筒体は円筒状であることを特徴とする浮遊物除去具。
【請求項４】
請求項１〜３いずれか１項に記載の浮遊物除去具において、前記取水口は、前記筒体の周方向に複数設けられていることを特徴とする浮遊物除去具。
【請求項５】
請求項１〜４いずれか１項に記載の浮遊物除去具において、前記濾過部は、濾材を多穴状の目皿で上下に挟んで構成されることを特徴とする浮遊物除去具。
【請求項６】
請求項５記載の浮遊物除去具において、前記目皿は円板であることを特徴とする浮遊物除去具。
【請求項７】
請求項１〜６いずれか１項に記載の浮遊物除去具において、前記筒体には、この筒体を前記水槽の上縁に取り付ける取付部が設けられていることを特徴とする浮遊物除去具。
【請求項８】
請求項７記載の浮遊物除去具において、前記取付部は、前記筒体の取付高さ位置を適宜に可変設定できることを特徴とする浮遊物除去具。
【発明の詳細な説明】
【技術分野】
【０００１】
本発明は、水槽の水の表層に浮遊している油膜やごみ等の浮遊物を除去する浮遊物除去具に関するものである。
【背景技術】
【０００２】
水中で育成する生物を水槽で飼育していると、生体そのものや餌などから脂質や蛋白質が溶出したり、ごみが発生したりし、水槽の水面表層にこれらが浮遊して水面を覆い、水槽内が嫌気的になって生物の育成環境が劣悪となってしまうことがある。
【０００３】
飼育対象が魚類などの水生動物の場合には、一般にエアレーションや水流によって水槽内の水に空気を送り込み、この際に発生する気泡に上述の脂質や蛋白質などを吸着させ、更にこの気泡が崩壊する際にこれらの脂質や蛋白質が分解されて親水性を帯びることで沈殿しやすくし、水面に油膜を生じにくくしている。
【０００４】
また、水草などの水生植物を水槽で育成する場合にも、植物体が生成する脂質成分や肥料の油分などが水面に油膜として浮遊する。従って、水生植物の場合も水生動物と同様にエアレーションすれば油膜の除去は可能である。
【０００５】
しかし、植物体の場合には光合成を促進させるために水槽中に二酸化炭素を添加することがあり、その場合、単純にエアレーションを行うとせっかく添加した二酸化炭素が空気中に放散してしまい、二酸化炭素添加の効果を無くしてしまう。そのため、植物体が光合成を行わない夜間にエアレーションを行って油膜除去を行うが、夜間の作業故に不便であり、また、植物体の生育には必ずしも必要ではないエアレーション設備を準備しなければならず、この点においても厄介であった。
【発明の概要】
【発明が解決しようとする課題】
【０００６】
従って、水生植物を水槽で育成する場合にも、簡便に水面に浮遊する油膜やごみなどの浮遊物を除去する器具が求められている。
【０００７】
本発明は、水槽の水面に浮遊する油膜やごみなどの浮遊物を簡単に除去できて扱い易い浮遊物除去具を提供することを目的とする。
【課題を解決するための手段】
【０００８】
添付図面を参照して本発明の要旨を説明する。
【０００９】
水槽１内の水４の表層２に浮遊する浮遊物３を除去する浮遊物除去具であって、前記水槽１の表層２の水４を取水する取水口５ａが設けられた筒体９内に、前記取水口５ａで取水した水４を濾過する濾過部７と、この濾過部７で濾過された水４を前記水槽１内へ排水するポンプ部８とが設けられた構成であり、前記筒体９の周壁20にはスリット10が軸方向に設けられ、このスリット10は前記周壁20内にスライド移動自在に添設された添設体17のスライド移動により開閉するものであり、この開口したスリット10が前記取水口５ａであり、前記添設体17は前記筒体９内に嵌入され戻り付勢する断面視Ｃ状の環体であり、この添設体17は前記戻り付勢により前記筒体９の周壁20に密着されており、前記取水口５ａの取水位置は前記水槽１の水４の上面の位置に応じて可変可能に構成されていることを特徴とする浮遊物除去具に係るものである。
【００１０】
また、請求項１記載の浮遊物除去具において、前記添設体17を前記筒体９の周壁20に沿って軸方向にスライド移動させることで、前記取水口５ａの長さが可変するように構成されていることを特徴とする浮遊物除去具に係るものである。
【００１１】
また、請求項１，２いずれか１項に記載の浮遊物除去具において、前記筒体９は円筒状であることを特徴とする浮遊物除去具に係るものである。
【００１２】
また、請求項１〜３いずれか１項に記載の浮遊物除去具において、前記取水口５ａは、前記筒体９の周方向に複数設けられていることを特徴とする浮遊物除去具に係るものである。
【００１３】
また、請求項１〜４いずれか１項に記載の浮遊物除去具において、前記濾過部７は、濾材13を多穴状の目皿14で上下に挟んで構成されることを特徴とする浮遊物除去具に係るものである。
【００１４】
また、請求項５記載の浮遊物除去具において、前記目皿14は円板であることを特徴とする浮遊物除去具に係るものである。
【００１５】
また、請求項１〜６いずれか１項に記載の浮遊物除去具において、前記筒体９には、この筒体９を前記水槽１の上縁に取り付ける取付部16が設けられていることを特徴とする浮遊物除去具に係るものである。
【００１６】
また、請求項７記載の浮遊物除去具において、前記取付部16は、前記筒体９の取付高さ位置を適宜に可変設定できることを特徴とする浮遊物除去具に係るものである。
【発明の効果】
【００１７】
本発明は上述のように構成したから、水槽の水面表層に浮遊する浮遊物をこの表層の水と共に取水濾過し、この濾過した水を水槽内に排水することで、油膜やごみなど水面の浮遊物が簡単に除去される極めて扱い易い浮遊物除去具となる。
【図面の簡単な説明】
【００１８】
【図１】本実施例に係る浮遊物除去具の斜視図である。
【図２】本実施例に係る浮遊物除去具の断面図である。
【図３】本実施例に係る浮遊物除去具の上面図である。
【図４】本実施例に係る浮遊物除去具の分解斜視図である。
【図５】本実施例に係る浮遊物除去具の使用状態の説明図である。
【発明を実施するための形態】
【００１９】
好適と考える本発明の実施形態を、図面に基づいて本発明の作用を示して簡単に説明する。
【００２０】
本発明の浮遊物除去具を水槽１内の水４に浸漬し、取水口５ａから表層２の水４を導入すると、この表層２の水４と共に浮遊する浮遊物３も取水口５ａから導入され、濾過部７で浮遊物３が濾過された水４はポンプ部８により水槽１内に排水される。
【００２１】
また、取水口５ａの取水位置は水槽１の水４の上面の位置に応じて可変できるから、例えば、濾過された水４をポンプ部８で排水しながら取水口５ａの取水位置を徐々に下げ、所定の取水量を確保しながら連続的に取水でき、従って、水槽１の浮遊物３の除去を速やか且つ容易に行えることになる。
【００２２】
従って、本発明の浮遊物除去具は、水槽の水の上面の高さ位置に応じて取水位置を可変しながら、水槽の水の表層に浮遊する浮遊物をこの表層の水と共に取水濾過し、この濾過した水を排水するから、油膜やごみなど水面の浮遊物を簡単に除去できて扱い易いものになる。
【実施例】
【００２３】
本発明の具体的な実施例について図面に基づいて説明する。
【００２４】
本実施例は、水槽１内の水４の表層２に浮遊する浮遊物３を除去する浮遊物除去具であって、前記表層２の水４を取水する取水部５と、この取水部５で取水した水４を濾過する濾過部７と、この濾過部７で濾過された水４を水槽１内に排水するポンプ部８とを備え、前記取水部５の取水位置は前記水槽１の水４の上面の位置に応じて可変可能に構成された浮遊物除去具である。
【００２５】
図１に図示した本実施例の浮遊物除去具18は、図５の水草を育成している水槽１の上部辺縁にこの浮遊物除去具18の取水部５を上側にしポンプ部８を下側にした状態で取り付けられ、ポンプ部８に設けられた排水口29から排水しながら取水部５に設けられた取水口５ａの取水高さ位置を可変調整してこの取水口５ａから水槽１の表層２の水４を連続的に取水して水面の表層２に浮遊している浮遊物３を除去する構成である。なお、符号30は、後述するポンプ15の電源コードであり、本実施例では外部電源（図示せず）の電力をこの電源コード30を介してポンプ15に供給している。
【００２６】
本実施例では浮遊物除去具18を水槽１に固定したが、水槽１の上部辺縁から浮遊物除去具18を取り外してこの浮遊物除去具18を手で持って水面の表層２の適宜な箇所を走査しながら取水口５ａから水面表層２の水４を取水してもよい。
【００２７】
具体的には、図１乃至図４に示す本実施例の浮遊物除去具18は、開口部11・19を両端に備えた円筒状の筒体９の一端部周壁20に取水部５として取水口５ａが２箇所設けられ、この取水部５を上方にしたとき、この取水部５の下に濾過部７が配設され、この濾過部７の下方位置に、排水口29を有するポンプ部８が配設されている。なお、このポンプ部８は筒体９の他端部側の下端となる開口部19から筒体９内に嵌入して固定されている。
【００２８】
また、本実施例では、取水部５に取水口５ａを２箇所設けたが、このように取水口５ａを複数設けると取水できる水量を多くできるだけでなく、複数方向の広範囲から水面表層２の水４を効率よく集めて取水でき、また、他の取水口５ａが何らかの要因によって詰まった場合でも別の取水口５ａから取水できるため、極めて扱い易いものになる。
【００２９】
また、スリット10の幅の狭い取水口５ａを複数設け、所定の取水量を確保しつつ取水口５ａを小さく設定することも可能であり、この場合には、小形の生物が流れ込み難くすることができる。
【００３０】
また、取水口５ａは上下にスライド移動自在とすることで取水位置を上下に可変できる構成であり、従って、この浮遊物除去具18は、水槽１の上部辺縁に取り付けられた状態でも水面の高さの変化に応じて常に水面表層２の水４を効率的に取水できる。
【００３１】
詳細には、本実施例は、筒体９の周壁20にスリット10が軸方向に設けられ、この周壁20にスライド移動自在に添設体17が添設されて、この添設体17のスライド移動によりスリット10が開閉し、この開口したスリット10が取水部５に設けられる取水口５ａとなる構成である。
【００３２】
また、取水口５ａは、前記添設体17を前記筒体９の周壁20に沿って軸方向にスライド移動させることで上下方向に位置可変可能に構成されている。即ち、この取水口５ａは、筒体９の周壁20にスリット10を軸方向に設け、この筒体９の周壁20にスライド移動自在に添設されてスリット10の一部を閉塞する添設体17で構成された開口である。
【００３３】
本実施例の添設体17は、筒体９内に嵌入される断面視Ｃ状の環体であり、この添設体17はこの環体の戻り付勢により前記筒体９の周壁20に密着される。なお、この添設体17は、筒体９に設けたスリット10部分の開口部に板体を設け、この板体をスリット10の下端側から上下できるように設けることでもよい。
【００３４】
従って、筒体９の周壁20に添設体17として断面視Ｃ状の環体を嵌入してこの環体を筒体９の周壁20に密着させ軸方向にスライド移動させて、スリット10をこの環体である添設体17で閉塞すると、取水口５ａの開口下端位置が移動して取水位置を上下に移動できることになる。なお、この環体は、筒体９の周壁20に被嵌するように構成してもよい。
【００３５】
本実施例では、更に、水槽１の上方から添設体17を上下できるように操作部21を設け、この操作部21を上下させるだけで添設体17としての環体が上下してスリット10の下端を閉塞して上記の開口の度合が変わって取水口５ａの取水位置を上下に移動できるようにしている。
【００３６】
また、濾過部７は、濾材13を多穴状の目皿14で上下に挟んで構成される。この濾材13としては、スポンジ質、繊維質、活性炭、ゼオライトなどを単独若しくは混在して用いて取水した水４に含まれている脂質や蛋白質などの浮遊物３を吸着、吸収し得る素材からなっている。また、目皿14は多穴状の円板であり、筒体９の内周壁に直交状態で設けられると共に濾材13を上下から挟み込んで安定化させると共に比較的大きな浮遊物を除去するものである。このように構成した濾過部７は脂質や蛋白質などの浮遊物３を含む水４の濾過を安定に行えるようになる。
【００３７】
この濾過部７は、取水部５から所定長さだけ離間して設けた構成とすることで、流入した水及び浮遊物３はこの濾過部７と取水部５との間に形成される離間空間６内に閉塞され逆流して水槽１に戻ることを可及的に低減できる。また、この離間空間６は、所定長さを有するように構成することで取水部５からの水の流入量と排出口29からの排水量とのバランスをとるバッファ空間として機能させ、取水口５ａを上下にスライド操作させてこの離間空間６内で水４が溢れたり無くなったりしないようにすることが容易になるため、浮遊物除去が更に効率よく行えることになる。なお、この離間空間６は、取水部５と濾過部７との間の空間の体積を大きくすることでもよい。
【００３８】
また、ポンプ部８は、筒体９の下方に設けられ、筒体９内の水４をこの筒体９外に排水する構成であり、本実施例は、筒体９内の水４を吸引して排水口29から排水するポンプ15を備え、このポンプ15をポンプ載置部23に載置して筒体９の内部に固定し、また、筒体９内に取水して濾過部７で濾過されて清浄になった水４を排水口29から水槽１内に排水して戻す構成とすることで、外付けの濾過器やポンプ装置を不要として、簡易で扱い易いものになる。
【００３９】
また、筒体９には、この筒体９を水槽１の上部辺縁に取り付ける取付部16が設けられると共に、この取付部16は、前記筒体９の取付高さ位置を適宜に可変できるように構成されている。
【００４０】
この取付部16は、略同形を呈する二体のＬ字状部材22の一辺を重合させた状態でスライド自在とし、この重合させた二辺をスライドさせてこの二体のＬ字状部材22の残りの二辺同士を所定間隔だけ離間した状態で対向する挟込辺とし、この挟込辺で水槽１の上部辺縁を挟み込んで前記Ｌ字状部材22の重合した辺同士を螺着して水槽１に固定する構成である。
【００４１】
詳細には、更に、この二体のＬ字状部材22のいずれか一方の重合固着する辺にこの辺にこの両者を螺着する螺子24を設け、他方のＬ字状部材22の重合固着する重合固着辺にこの螺子24の胴部が挿通するスリット25を設けた構成である。
【００４２】
また、筒体９には、この取付部16の水槽１の上部辺縁を挟み込む挟込辺のいずれか一方を係止保持する係止保持部26を備え、この係止保持部26は、前記挟込辺のいずれかを挿通する挿通穴部27を有し、この挿通穴部27の内壁部に内方向に凸状に湾曲した薄板バネ28を設け、この挿通穴部27にいずれか一方の挟込辺を挿入すると薄板バネ28で挟込辺が押圧されて筒体９と取付部16とが係止固定される。
【００４３】
以上のように構成したから、本実施例の浮遊物除去具18を、取水部５を上側にしてポンプ部８を下側にして取水口５ａの下縁が水面に没するように水槽１内の水４に浸漬し、ポンプ部８で水４を排水させながら水槽１の表層２の水４を取水部５から取水すると、表層２の水４と共に浮遊する浮遊物３が取水部５から筒体９内に流入し、水４と共に浮遊物３は離間空間６を落下して濾過部７で浮遊物３が濾過され、この濾過部７で濾過された水４はポンプ部８に吸引されて排水口29から水槽１内に排水される。
【００４４】
この離間空間６内に溜める水４は、取水口５ａの取水位置をスライド移動させて取水部５との間に落差が常時生ずると共に過不足なく離間空間６内に水４が溜まった状態に水位を可変調整することによって、水槽１内の浮遊物３を含む水４が取水部５に効率よく取水され、且つ、取水された水４及び浮遊物３はこの離間空間６に閉塞されるから逆流して水槽１に戻ることを可及的に低減できると共に、広い範囲の水面表層２から浮遊物３を容易に集めることができて浮遊物除去を効率よく行えることになる。
【００４５】
また、濾過部７で濾過されや水４はポンプ部８で排水口29から水槽１内に排水され戻されることになるから、水槽１内の水面の低下を可及的に低減できることになり、従って、浮遊物の除去のために水の補充をする必要も無く、従って、この水の補充の際、周囲を水で汚損するおそれもなく、また、水槽１の外に外部装置を付設することなく、水槽１の表層２から浮遊物３を簡単に除去できて、取り扱いが容易な浮遊物除去具になる。
【００４６】
従って、本実施例の浮遊物除去具は、水槽の表層に浮遊する浮遊物をこの表層２の水と共に取水し濾過して水を排水することで、水槽の表層に浮遊する浮遊物を除去でき、エアレーションも必要が無く、また、周囲を汚損することもなく、簡単に油膜やごみなど水面の浮遊物を簡単に除去できるものになる。
【符号の説明】
【００４７】
１  水槽
２  表層
３  浮遊物
４  水
５ａ  取水口
７  濾過部
８  ポンプ部
９  筒体
10  スリット
13  濾材
14  目皿
16  取付部
17  添設体
20  周壁
【図１】
0005476440.tif 000002
【図２】
0005476440.tif 000003
【図３】
0005476440.tif 000004
【図４】
0005476440.tif 000005
【図５】
0005476440.tif 000006